(57)【要約】      （修正有）【課題】従来の外付タイプの場合、磁気水を生成するためには流体中心部に磁束を収束する事と流速の確保という条件を満足させる必要性から、どうしても強力で大形の高価な磁石を使わなければならなかった。特に少水量吐水時は流速の確保はできず、強力、大形、高価な磁石を使っても磁気活性水を得る事事態に問題があった。又取付後の外観（見栄え）も悪く、蛇口吐水口廻りでは邪魔な存在であった等の課題があった。【解決手段】磁気活水水栓コマは、磁石をパッキンと組み込む事で、流速のもっとも速くなる場所に近接して磁石が配置されるので、少量の磁石で効率よく水を磁化させる事ができる。【選択図】図１
2004169350.tif 000002
【特許請求の範囲】
【請求項１】
水栓コマ自体に磁石を組み合わせた事を特徴とする水栓コマ。
【発明の詳細な説明】
【０００１】
【発明が属する技術分野】
本発明は水道用蛇口に使用し、水、又は湯を磁化し、磁気活性水を高効率に、安価に得る事に関するものである。
【０００２】
【従来の技術】
従来の蛇口取付タイプの磁気活水器は、蛇口吐出部に磁石を外側より挟み込むように取り付けている。
【０００３】
【発明が解決しようとする課題】
従来の外付タイプの場合、磁気水を生成するためには流体中心部に磁束を収束する事と流速の確保という条件を満足させる必要性から、どうしても強力で大形の高価な磁石を使わなければならなかった。特に少水量吐水時は流速の確保はできず、強力、大形、高価な磁石を使っても磁気活性水を得る事事態に問題があった。又取付後の外観（見栄え）も悪く、蛇口吐水口廻りでは邪魔な存在であった等の課題があった。
【０００４】
本発明によると、水に至近に磁石を配置する事により、小形の磁石で最も効率よく磁化させることが可能となる。又、水を効率的に磁化する為には、流速を速くしなければならないが、本発明による磁気活水水栓コマ１は、流体の狭まる間隙幅（図１：Ａ及び間隙幅（図１．Ｂ）との間を通過する流速を利用するため、流速がもっとも速くなる効果的な場所に位置するものである。
【０００５】
本発明の第一の目的は、超安価に磁気水の提供を可能にするものである。従来の蛇口型磁気活水器は２００００円から８００００円と高価だが、本発明によると１０００円程度と試算できるものである。第二の目的は、通常水栓コマのように簡単に入手出来、素人、主婦、子供でも簡単に交換取り付けができる事を狙ったものである。第三の目的は、表面に何も出ないので美観を全く損なわない。第四の目的は、既設の水栓等自体に磁気活水器の機能を付加させ、いつでも、どこでも磁気活性水を得ることができるアイデア、発明であること。
【０００６】
【課題を解決するための手段】
請求項１の磁気活水水栓コマ（図１：１）は磁石（図１：３）を各構成部材（図１：２．３．４）の一つの要素として組み込んだもので、蛇口パッキン部の流速のもっとも速くなる弁座面（図１：７）とコマパッキン（図１：４）に近接して磁石（図１：３）が配置されるので、少量の磁石で効率よく水を磁化させる事ができる。吐水量はスピンドル（図１：８）の上下により、水の圧力で磁気活水水栓コマ（図１：１）がスピンドル（図１：８）の作動分だけ上方に持ち上げられ、磁石下面にあるパッキン（図１：４）と弁座面（図１：７）の間隙幅（図１：Ａ）及び間隙幅（図１：Ｂ）から速い速度で流出し、又止水は、スピンドル（図１．８）を最下位に押圧することにより磁石下面にあるパッキン（図１．４）の弾力性により止水するものである。
【０００７】
【発明の実施の形態】
本実施の形態では、図１〜３を用いて磁気活水水栓コマの具体例を説明する。この磁気活水水栓コマは、一般の水栓（単水栓、２ハンドルタイプ湯水混合栓）に使われている落しコマパッキンと同じ吐水、止水性能を持ったものであるが、ここに磁石を組み込む事によって水栓自体が磁気活性水生成器に変わる。まずこの水栓と磁気活水水栓コマ（図１：１）の作動について簡単に説明する。
【０００８】
水栓内部は配管からの導入室（図１：９）と吐水室（図１：１０）があり、この両室を連通孔｛間隙幅（図１：Ａ）及び間隙幅（図１：Ｂ）｝で連絡している。連通孔は、弁座（図１：６）上に位置する弁座面（図１：７）となっていて、ここ中心真上に磁気活水水栓コマ（図１：１）が位置するようになっている。磁気活水水栓コマ１は導入室（図１：９）からの水圧で上方に押し上げられる力が働くので、これに抵抗し、又中心がずれないよう上下に垂直移動できるスピンドル（図１：８）で押さえる様になっている。スピンドル（図１：８）は、水栓内壁に刻まれた雌ねじ（図１：１１）とスピンドル（図１：８）の雄ねじ（図１：１２）が螺合され、滑らかに上下動が出来るようになっている。また、スピンドル（図１：８）を最下部に押圧したところでは、磁気活水水栓コマパッキン（図１：４）が弁座面（図１：７）に押し付けられ、連通孔（図１：間隙幅Ａ）を塞ぎ、水の流路を遮断することができる。磁気活水水栓コマ（図１：１）の上部軸心（図１：１３）はスピンドル（図１：８）の挿入孔（図１：１４）に遊びを持たせて挿入されている。
【０００９】
磁気活水水栓コマ（図１：１）は上部にスピンドル（図１：８）に挿入される上部軸心（図１：１３）と水栓コマ台（図１：２）（金属・樹脂等）、中間に磁石（図１：３）（希土類ネオジウム磁石等）、下部にパッキン（図１：４）（例：エチレンプロピレンゴム等）として構成されている。
【００１０】
尚、本磁気活水水栓コマ（図１：１）の各構成部材間（図１：２．３．４）の連結方法は特に問わない。例えば図１に示すように水栓コマ台（図１：２）の下面中心からコマ台雄ネジ（図１：１５）を垂下させ、磁石（図１：３）とコマパッキン（図１：４）の中心部に雄ネジを貫通させる孔を設け、コマ台雄ネジ（図１：１５）を挿通させた後、閉め付け用のナット（図１：５）で連結・固定させる。又接着剤を用いる方法とする事もできる。
【００１１】
磁気活水水栓コマ（図１：１）に使用する磁石（図１：３）は、ネオジウム系希土類磁石、又はサマリューム・コバルト磁石で、残留磁束密度１．２〜０．９テスラを使用している。
【００１２】
磁気活水水栓コマ（図１：１）に使用する磁石（図１：３）は、安全や強度確保のためステンレス及び樹脂やゴム等で包み込む事もある
【００１３】
水栓連通孔間隙幅（図１：Ａ）及び間隙幅（図１：Ｂ）を通過する流速は、毎秒３ｍ〜１２ｍ（圧力１．５〜３．０ｋｇ／ｃｍ２）と非常に早く、理想的な設置箇所である。
【００１４】
本実施の形態では、節水機能型、磁気活水節水コマ（図２：１）として活用する事もできる。磁気活水節水コマ（図２：１）は各構成部材（図１：２．３．４）で構成され、各構成部材（図１：２．３．４）の連結方法は特に問わない。又、接着剤を用いる方法とする事もできる。例えば水栓コマ台（図３：２）下面中心にタップ孔（図３：１６）を設け、中心孔（図３：１７）を通してビス（図３：１８）で止める等である。
【００１５】
本実施の形態では、各構成部材（図１：２．３．４）を一体成型とし止水用パッキン（図１：４）を兼ねる事ができる。一体成型品とすることでコストの低減と、長年の使用によるナット（図１：５）の緩み等による止水性の欠除を防止できる。
【００１６】
尚、前記各発明は、各実施の形態に示すものに限定されず、各発明の範囲内で種々の変形例を例示できる。即ち各実施の形態では水栓コマは落しこまについて述べてきたが、固定コマ等他の方式のものであってもよい。又衛生設備関係の弁体にも磁石の応用を好適に適用できる。（例：配管用のグローブバルブ弁体等）
【００１７】
【実施例】
図１は、一般的な蛇口の断面図である。図１の磁気活水水栓は、長年の使用に当たり、パッキンが劣化した場合でも交換が容易である。図２．３は、磁気活水水栓コマでありながら節水効果が期待できる。
【００１８】
【発明の効果】
本発明は以上説明した実施例から明らかなように、高価な磁気活水器を外付けで設備することなく、水栓等自体を、既設の状態のまま、磁気活水器にしてしまうことにある。又安価に供給可能となり、更に専門業者に依頼するまでも無く、素人、主婦、子供でも、取り替えできるので、磁気活性水の普及、活用に大きく貢献できる事が最大の特長である。
【図面の簡単な説明】
【図１】水栓金具の断面図である。又、磁気活水水栓コマの機能を示した物である。
【図２】磁気活水水栓コマ（節水型）の断面図である。
【図３】磁気活水水栓コマ（節水型）の断面図である。
【符号の説明】
１        磁気活水水栓コマ
２        水栓コマ台
３        磁石
４        パッキン
５          ナット
６        弁座
７        弁座面
９        導入室
１０      吐水室
１１      雌ねじ
１２      雄ねじ
１３      上部軸心
１４      挿入孔
１５      コマ台雄ネジ
１６      タップ孔
１７      中心孔
１８      ビス
Ａ          間隙幅
Ｂ            間隙幅
【図１】
2004169350.tif 000003
【図２】
2004169350.tif 000004
【図３】
2004169350.tif 000005